(57)【要約】【課題】本発明は、情報のリストを転送するコグニティブパイロットチャネルを、複数のメッシュＭｉ（ｉ＝１〜ｎ）（ｎは、前記ＣＰＣを前記メッシュＭｉに送信する少なくとも１つの基地局（４）を含む地理的エリア内のメッシュ数である）の各々に送信する電力を制御する。【解決手段】方法は、各メッシュＭｉに関して、送信電力Ｐｉを算出するステップと、電力Ｐｉによって前記コグニティブパイロットチャネルを各メッシュＭｉに送信するステップとを含む。【選択図】図２
2012526405.tif 000002
【特許請求の範囲】
【請求項１】
情報のリストを転送するコグニティブパイロットチャネルを、複数のメッシュＭｉ（ｉ＝１〜ｎ）（ｎは、前記コグニティブパイロットチャネルを前記メッシュＭｉ（ｉ＝１〜ｎ）に送信する少なくとも１つの基地局を含む地理的エリア（２）内のメッシュ数である）の各々に送信する電力を制御する方法であって、
各メッシュＭｉ（ｉ＝１〜ｎ）に対する送信電力Ｐｉを算出するステップと、
前記コグニティブパイロットチャネルを前記電力Ｐｉで各メッシュＭｉ（ｉ＝１〜ｎ）に送信するステップと
を含むことを特徴とする方法。
【請求項２】
前記電力Ｐｉが、各メッシュと、前記基地局（４）との間の経路損失に基づいて算出される請求項１に記載された方法。
【請求項３】
前記経路損失が、各メッシュと、前記基地局（４）との間の距離ｄｉに基づいて算出される請求項２に記載された方法。
【請求項４】
前記電力Ｐｉが、前記距離ｄｉに反比例する請求項３に記載された方法。
【請求項５】
前記電力Ｐｉが、全送信電力Ｐに応じて算出される請求項４に記載された方法。
【請求項６】
前記電力Ｐｉが、次式：
Ｐｉ＝Ｐ＊経路損失／ｎ（式中、ｎは、メッシュ数）
で算出される請求項５に記載された方法。
【請求項７】
メッシュＭｉ（ｉ＝１〜ｎ）に関して算出された送信電力Ｐｉが、前記メッシュＭｉ（ｉ＝１〜ｎ）の地形に応じた減衰パラメータによって加重される請求項１に記載された方法。
【請求項８】
減衰パラメータが、ＣＰＣセルの配置を設計するときに推定され、ルックアップテーブルに記憶される請求項７に記載された方法。
【請求項９】
情報のリストを転送するコグニティブパイロットチャネルを、複数のメッシュＭｉ（ｉ＝１〜ｎ）（ｎは、前記コグニティブパイロットチャネルを前記メッシュＭｉ（ｉ＝１〜ｎ）に送信する少なくとも１つの基地局を含む地理的エリア（２）内のメッシュ数）の各々に送信する手段を備えた基地局であって、
各メッシュＭｉ（ｉ＝１〜ｎ）に対する送信電力Ｐｉを算出する手段と、
前記コグニティブパイロットチャネルを前記電力Ｐｉで各メッシュＭｉ（ｉ＝１〜ｎ）に送信する手段と
をさらに備えたことを特徴とする基地局。
【請求項１０】
メッシュＭｉ（ｉ＝１〜ｎ）に関して算出された送信電力Ｐｉを、前記メッシュＭｉの地形に応じた減衰パラメータによって加重する手段をさらに備えた請求項９に記載された基地局。
【発明の詳細な説明】
【技術分野】
【０００１】
本発明は、電気通信分野に関し、情報のリストを転送するコグニティブパイロットチャネルを、複数のメッシュＭｉ（ｉ＝１〜ｎ）（ｎは、ＣＰＣを全送信電力ＰでメッシュＭｉに送信する少なくとも１つの基地局を含む地理的エリア内のメッシュ数）に送信する電力を制御する方法に関する。
【０００２】
本発明は、コグニティブパイロットチャネルを全送信電力Ｐで複数のメッシュＭｉ（ｉ＝１〜ｎ）（ｎは、地理的エリア内のメッシュ数）に送信する手段を含み、前記コグニティブパイロットチャネルが、メッシュＭｉ（ｉ＝１〜ｎ）内に位置するユーザ装置が、メッシュ内で利用可能なオペレータ及び／又は無線アクセス技術及び／又は通信周波数を選択できるように情報のリストをメッシュに転送する基地局にも関する。
【背景技術】
【０００３】
コグニティブパイロットチャネル（ＣＰＣ）は、地理的エリア内で利用可能なオペレータ、無線アクセス技術（ＲＡＴ）及び利用可能な周波数に関してコグニティブ移動体に情報を提供するためのコグニティブ無線で使用される概念である。
【０００４】
コグニティブパイロットチャネルの２つの主要概念が、Ｅ３プロジェクト及びＥＴＳＩ  ＲＲＳ  Ｇｒｏｕｐによって提案されている：メッシュベース、かつ最適化送信アプローチである。
−  メッシュベースの概念において、地理的エリア内のセルは、複数のメッシュに分割され、かつ各メッシュ内で利用可能なオペレータ、ＲＡＴ及び周波数に関する情報が提供される。
−  最適化送信の概念において、セル内で利用可能な全てのＲＡＴ及び周波数に関する情報が同時に送信される。
【０００５】
メッシュベースの概念は、最適化送信の概念よりも厳密であるが、前記情報を送信するために基地局によって使用される電力が、全てのモバイルに到達すると推定されることに基づく欠点を有する。従って、電力制御は使用されない。電力は、セル端のユーザが、送信された情報をデコードし得るために十分であると直ちに推定される。
【０００６】
従って、基地局に近いメッシュへの情報の送信は、地理的エリアの周辺にあるメッシュへの前記情報の送信と同じ電力を必要としないにも関わらず、コグニティブパイロットチャネル情報を地理的エリアの全てのメッシュに送信するために同じ電力が使用される。よって、周縁メッシュ内に位置するユーザ装置は、電力減衰のために情報をデコードできないことがある。
【０００７】
本発明の目的は、全メッシュ内で同じコグニティブパイロットチャネル（ＣＰＣ）のコンテンツをデコードできる同程度の可能性をユーザ装置に与えるＣＰＣを送信するために使用される電力をよりよく制御するために送信電力の配分を最適化することである。
【０００８】
本発明のもう１つの目的は、前記地理的エリア内の各メッシュの地形による減衰を考慮に入れて電力制御することである。
【発明の概要】
【発明が解決しようとする課題】
【０００９】
本発明は、基地局の近くに位置するメッシュへのコグニティブパイロットチャネルのコンテンツの送信に、基地局によってカバーされるセルの周縁に位置するメッシュへのコンテンツの送信よりも低い電力しか必要とされないことに基づく。
【００１０】
従って、本発明による方法における電力は、地理的エリアの全てのメッシュに同じ電力によりコグニティブパイロットチャネルのコンテンツを送信する代わりに、地理的エリア内でユーザ装置に現れるであろう経路損失を考慮に入れて前記メッシュ間で分配される。
【課題を解決するための手段】
【００１１】
本発明の目的は、情報のリストを転送するコグニティブパイロットチャネル（ＣＰＣ）を、複数のメッシュＭｉ（ｉ＝１〜ｎ）（ｎは、前記ＣＰＣを全送信電力Ｐで前記メッシュＭｉに送信することに適合する少なくとも１つの基地局を含む地理的エリア内のメッシュ数）に送信する電力を制御する方法によって達成される。
【００１２】
本発明による方法は、
−  各メッシュＭｉ（ｉ＝１〜ｎ）に関して、前記基地局までの距離ｄｉを決定するステップと、
−  前記距離ｄｉ及び前記全送信電力Ｐに基づいて各メッシュＭｉ（ｉ＝１〜ｎ）に対する送信電力Ｐｉを算出するステップと、
−  電力Ｐｉによって前記コグニティブパイロットチャネルを各メッシュＭｉ（ｉ＝１〜ｎ）に送信するステップとを含む。
【００１３】
好ましくは、前記電力Ｐｉは、前記距離ｄｉに反比例する。
【００１４】
本発明の好ましい実施態様によれば、メッシュＭｉ（ｉ＝１〜ｎ）に関して算出された送信電力Ｐｉは、前記メッシュＭｉの地形に応じた減衰パラメータによって加重される。
【００１５】
前記減衰パラメータは、ＣＰＣセルの配置を設計するときに推定され、ルックアップテーブルに記憶される。
【００１６】
本発明による方法により、ＣＰＣ検出の確率（probability ）は、全メッシュにおいて同じである。
【００１７】
本発明は、コグニティブパイロットチャネルを全送信電力Ｐで複数のメッシュＭｉ（ｉ＝１〜ｎ）（ｎは、地理的エリア内のメッシュ数）に送信する手段を含み、前記コグニティブパイロットチャネルが、情報のリストを前記メッシュに転送し、メッシュＭｉ（ｉ＝１〜ｎ）内に位置するユーザ装置（ＵＥ）が、前記所与のメッシュＭｉ内で利用可能なオペレータ及び／又は無線アクセス技術及び／又は通信周波数を選択できるようにする基地局であって、
−  各メッシュＭｉに関して、前記基地局までの距離ｄｉを決定する手段と、
−  前記距離ｄｉ及び前記全送信電力Ｐに基づいて各メッシュＭｉ（ｉ＝１〜ｎ）に対する送信電力Ｐｉを算出する手段と、
−  電力Ｐｉによって前記コグニティブパイロットチャネルを各メッシュＭｉ（ｉ＝１〜ｎ）に送信する手段とをさらに含む基地局によって実施される。
【００１８】
本発明による基地局は、メッシュＭｉ（ｉ＝１〜ｎ）に関して算出された送信電力Ｐｉを、前記メッシュＭｉの地形に応じた減衰パラメータによって加重する手段をさらに含む。
【００１９】
上記の概要及び以下の詳細な説明は、以下に示す本発明の好適な実施態様を示す添付図面と併せて読むことによって、よりよく理解される。
【図面の簡単な説明】
【００２０】
【図１】本発明による方法が実施されるメッシュを含む地理的エリアを概略的に表す図である。
【図２】本発明による方法のステップを例すフローチャートである。
【発明を実施するための形態】
【００２１】
本発明は、少なくとも１つの無線電気通信網によってカバーされ、かつ、携帯電話機、ＰＤＡ又はノート型パーソナルコンピュータのようなコグニティブ受信機が、ネットワーク内で通信するために最も都合のよいＲＡＴ及び周波数を選択できるようにするために、コグニティブパイロットチャネルが、利用可能な無線アクセス技術（ＲＡＴ）及び周波数に関する情報を送信するために使用される地理的エリア２内で実施される場合に適用される。前記地理的エリアは、連続している基本メッシュ３の数であるｎに分割される。
【００２２】
図１に示すように、地理的エリア２は、各メッシュＭｉ（ｉ＝１〜３６）内で利用可能なオペレータ、無線アクセス技術及び無線周波数に関する情報のリストを伝達するコグニティブパイロットチャネル（ＣＰＣ）を送信する基地局４によってカバーされるｎ＝３６の連続している基本メッシュに分割される。
【００２３】
基地局４は、基地局４と、各メッシュＭｉ（ｉ＝１〜３６）との間の経路損失を推定する処理モジュールを含む。
【００２４】
前記経路損失は、各メッシュＭｉ（ｉ＝１〜３６）と基地局４との間の距離に応じて、かつ伝搬環境に応じて、セル及びセルラネットワークの配置の定義段階で定義される。
【００２５】
各メッシュＭｉ（ｉ＝１〜３６）に関して算出された経路損失は、基地局４の記憶モジュール内に位置するルックアップテーブル１０内に、対応するメッシュＭｉ（ｉ＝１〜３６）とともに記憶される。
【００２６】
図２は、本発明による方法のステップを示すフローチャートである。
【００２７】
ステップ２０で、処理モジュールは、各メッシュＭｉ（ｉ＝１〜３６）について、前記メッシュＭｉ内に送信する情報のリストを決定する。
【００２８】
ステップ２２で、処理モジュールは、ルックアップテーブル１０からメッシュＭｉ（ｉ＝１〜３６）の経路損失を読み取る。
【００２９】
ステップ２４で、処理モジュールは、利用可能な全電力Ｐを読み取り、ステップ２６で、式：Ｐｉ＝Ｐ＊経路損失／ｎ（式中、ｎは、メッシュ数）（図１の例においてｎ＝３６）によって与えられた電力によりＣＰＣメッセージを送信する。
【００３０】
処理モジュールは、ステップ２８でｉを１増やし、全てのメッシュＭｉ（ｉ＝１〜ｎ）が適切な電力Ｐｉにより適切な情報を受信するまでステップ２０から処理を繰り返す。
【図１】
2012526405.tif 000003
【図２】
2012526405.tif 000004
【国際調査報告】
2012526405.tif 000005
2012526405.tif 000006
2012526405.tif 000007